(57)【特許請求の範囲】
【請求項１】
被取付面に取り付け可能な取付面を有するケースに、これの内部に流入した検知対象を検知するセンサが内蔵され、検知対象をケースの内部に流入させる流入口が前記取付面側に連なるケースの側面部に開口形成されている検知器であって、
前記ケースの側面部が、前記取付面側がその反対側よりもケース内方側に位置する形状に構成されているとともに、
前記流入口が、前記ケースの側面部において前記取付面側ほどケース内方側に位置する傾斜姿勢の傾斜開口面を少なくとも取付面側に備えて構成され、
前記傾斜開口面における取付面側開口縁に前記取付面とは反対側で対向する部位には、ケース内外方向において、前記取付面側開口縁よりも外方側の位置から、前記取付面側開口縁よりも内方側の位置まで検知対象を流入案内する流入案内面が設けられている検知器。
【請求項２】
前記流入口には、前記取付面に対する遠近方向に延びる縦桟とこれの交差方向に延びる横桟とが架設されているとともに、
前記横桟と前記縦桟との交差部において横桟の外面が縦桟の外面よりもケース外方側に位置するように、横桟の交差部に対応する部位がケース外方側に張り出し形成されている請求項１記載の検知器。
【請求項３】
前記ケースが、前記側面部に複数の隅部を有する外郭形状に構成されているとともに、
前記ケースの各隅部には、ケースの前記取付面側とその反対側とを繋ぐ繋ぎ部が形成され、これら繋ぎ部どうしの隣接端面間に前記流入口が開口形成されている請求項１又は２記載の検知器。
【発明の詳細な説明】
【技術分野】
【０００１】
本発明は、検知対象を検知する検知器に関する。
【背景技術】
【０００２】
この種の検知器は、例えば、火災により発生する煙や温度上昇、不完全燃焼により発生するＣＯガス、都市ガス等のガス漏れにより発生する漏洩ガス等を検知対象とし、その検知対象の状況に応じた警報を行う警報器等として用いられている。
【０００３】
特許文献１には、室の壁面等の被取付面に取り付け可能な取付面を有するケースに、これの内部に流入した煙等の検知対象を検知するセンサが内蔵され、検知対象をケースの内部に流入させる流入口が前記取付面側に連なるケースの側面部に開口形成された所謂センサ内蔵式の検知器が示されている。この特許文献１記載の検知器では、流入口が開口形成されたケースの側面部全体が取付面に対して垂直姿勢に構成されている。
【先行技術文献】
【特許文献】
【０００４】
【特許文献１】特開２０１０−２５７１７５号公報
【発明の概要】
【発明が解決しようとする課題】
【０００５】
一般に、センサ内蔵式の検知器では、センサをケースの外部に突出配置するものに比べ、すっきりした印象を与えて設置空間に馴染み易いものの、センサを内蔵する分、被取付面に取り付けた状態で被取付面からの突出寸法となるケース厚（ケースの取付面に対する垂直方向の外形寸法）が嵩み、更に、センサ周囲の内蔵物の存在によって検知対象に対するセンサの応答速度も遅くなり易い。
【０００６】
これに対し、特許文献１記載の検知器では、ケースの側面部全体がケースの厚み方向（取付面に対する垂直方向）に沿う姿勢にあるので、見掛け上のケース厚が実寸に近い寸法で認識され易く、看者に嵩高な印象を与え易い不都合がある。また、流入口の開口面全体がケースの厚み方向に沿う姿勢にあるので、応答速度に影響する開口面積をケースの側面部の中で稼ぐのが難しい不都合もある。
【０００７】
この実情に鑑み、本発明の主たる課題は、看者にコンパクトな印象を与えることができるとともに、ケースの側面部において流入口の開口面積を良好に確保することのできる検知器を提供する点にある。
【課題を解決するための手段】
【０００８】
本発明の第１特徴構成は、被取付面に取り付け可能な取付面を有するケースに、これの内部に流入した検知対象を検知するセンサが内蔵され、検知対象をケースの内部に流入させる流入口が前記取付面側に連なるケースの側面部に開口形成されている検知器であって、
前記ケースの側面部が、前記取付面側がその反対側よりもケース内方側に位置する形状に構成されているとともに、
前記流入口が、前記ケースの側面部において前記取付面側ほどケース内方側に位置する傾斜姿勢の傾斜開口面を少なくとも取付面側に備えて構成され、
前記傾斜開口面における取付面側開口縁に前記取付面とは反対側で対向する部位には、ケース内外方向において、前記取付面側開口縁よりも外方側の位置から、前記取付面側開口縁よりも内方側の位置まで検知対象を流入案内する流入案内面が設けられている点にある。
【０００９】
上記構成によれば、ケースの側面部のうちのケース内方側に位置する取付面側が視覚的に識別し難くなるので、ケースの側面部のうちのケース外方側に位置する取付面側とは反対側が見掛け上のケース厚として認識され易くなる。よって、見掛け上のケース厚を小さくすることができる。
【００１０】
また、ケースの側面部における流入口の少なくとも取付面側に備えられた傾斜開口面がケースの厚み方向から傾斜する姿勢にあるので、その分、流入口の開口面全体がケースの厚み方向に沿う姿勢にあるものに比べ、ケースの側面部において流入口の開口面積を大きくすることができる。
【００１１】
すなわち、この構成によれば、ケースの側面部の形状によって看者にコンパクトな印象を与えることができるとともに、そのケースの側面部の形状を利用して流入口の開口面積を良好に確保することができる。
【００１２】
しかも、例えば、検知対象が空気中に存在（含有や浮遊等）する場合、壁等の被取付面の近くの部位では被取付面との摩擦抵抗で空気の流速が低下し易いが、開口面積の大きな傾斜開口面がケースの側面部の取付面側に備えられているので、空気の流速が低下しがちな被取付面の近傍の検知対象も流入口に流入させ易くすることができる。
【００１３】
なお、本構成の実施において、ケースの側面部の全周又は略全周を前記形状に構成すれば、ケースを被取付面に取り付けた状態でケースの側面部全体が被取付面側に窄まる形状になるので、看者にコンパクトな印象を一層強く与えることができる。
【００１５】
例えば、検知対象が空気中に存在する場合、被取付面に取り付けた状態で流入口に向かって流れる空気がケース内方側に位置する取付面側開口縁にぶつかって流れが被取付面から離れる向きに変更され、その向き変更分の空気中の検知対象が流入口に流入し難くなる虞がある。
【００１６】
これに対し、上記構成によれば、流入口における取付面側開口縁に取付面とは反対側で対向する部位に備えられた流入案内面が、ケース内外方向において取付面側開口縁に相当する位置、又は、それよりもケース内方側まで検知対象を流入案内するので、流入口における取付面側開口縁にぶつかって流れが被取付面から離れる向きに変更された空気中の検知対象も流入口に流入し易くすることができる。
【００１７】
本発明の第２特徴構成は、前記流入口には、前記取付面に対する遠近方向に延びる縦桟とこれの交差方向に延びる横桟とが架設されているとともに、
前記横桟と前記縦桟との交差部において横桟の外面が縦桟の外面よりもケース外方側に位置するように、横桟の交差部に対応する部位がケース外方側に張り出し形成されている点にある。
【００１８】
上記構成によれば、例えば、縦桟と横桟によって異物や使用者の手指等が流入口に入り込むのを阻止しながら、主に縦桟によってケースを補強することができる。この場合、ケースの補強の面から縦桟は横桟よりも横断面が大きくなり易く、そのため、特に流入口の縦桟周辺部位では検知対象が流入し難くなる虞がある。
これに対し、上記構成によれば、横桟と縦桟との交差部において横桟の外面が縦桟の外面よりもケース外方側に位置するように、横桟の交差部に対応する部位がケース外方側に張り出し形成されているので、この横桟の張り出し部位による検知対象の案内作用によって縦桟周辺部位（交差部）への外部からの検知対象の取り込み量（流入口への流入対象となる検知対象の量）を増やすことができる。そして、このように縦桟周辺部位への外部からの検知対象の取り込み量を増やすことで、流入口の縦桟周辺部位において検知対象が流入口に流入し難くなるのを流入対象となる検知対象の量で補って、結果的に検知対象の流入口への流入量を確保することができる。
また、例えば、流入口における縦桟の端面にぶつかって流れが変更された検知対象を横桟の張り出し部位でもって流入口に流入案内することで、縦桟の存在で検知対象が流入口に流入し難くなるのを効率的に抑制することなども可能になる。
【００１９】
本発明の第３特徴構成は、前記ケースが、前記側面部に複数の隅部を有する外郭形状に構成されているとともに、
前記ケースの各隅部には、ケースの前記取付面側とその反対側とを繋ぐ繋ぎ部が形成され、これら繋ぎ部どうしの隣接端面間に前記流入口が開口形成されている点にある。
【００２０】
上記構成によれば、ケースの側面部の各隅部に形成された繋ぎ部によってケースの外郭形状を効率的に構成することができるとともに、このケースの外郭形状を利用してケースの側面部に大きな開口面積の流入口を形成することができる。
【図面の簡単な説明】
【００２１】
【図１】検知器の第１実施形態を示す前面側（正面側）の斜視図
【図２】検知器の第１実施形態を示す後面側（背面側）の斜視図
【図３】ケース本体、基板及び第１カバーの分解斜視図
【図４】第１カバーを装着したケース本体、第２カバーの分解斜視図
【図５】図１におけるＶ−Ｖ線断面図
【図６】図１におけるＶＩ−ＶＩ線断面図
【図７】ケースの側面部の要部の端面図
【図８】検知器の第２実施形態を示す後面側（背面側）の斜視図
【図９】（ａ）ケースの側面部（上下の側面側の部位）の要部の端面図、（ｂ）ケースの側面部（左右の側面側の部位）の要部の端面図
【図１０】（ａ）別実施形態の横桟の張り出し部位を示す要部の断面図、（ｂ）別実施形態の横桟の張り出し部位を示す要部の断面図
【発明を実施するための形態】
【００２２】
本発明に係る検知器の実施形態を図面に基づいて説明する。
［第１実施形態］
図１〜図７は、室の壁面等の被取付面Ｗに取り付けて用いられる検知器を示し、この検知器は、被取付面Ｗに取り付け可能なケース３に、電源部からの電力供給により検知対象を検知するセンサ２を内蔵して構成されている。以下、図中、Ｘ方向を「ケース３の上下方向」とし、Ｙ方向を「ケース３の横幅方向」とし、Ｚ方向を「ケース３の前後方向」として詳細に説明する。
【００２３】
ケース３は、内部の中空空間をセンサ２の収納箇所とする略扁平直方体状に形成され、図１、２に示すように、収納箇所の前面側（正面側）を覆う前面部（第１被覆部位）３Ａと、収納箇所の側面側を覆う側面部（第２被覆部位）３Ｂと、収納箇所の後面側（背面側）を覆う後面部（第３被覆部位）３Ｃとを備えてなる。
【００２４】
この実施形態では、前面部３Ａ及び後面部３Ｃの夫々が矩形状に形成されており、側面部３Ｂとして、上側面側を覆う部位と、下側面側を覆う部位と、左側面側を覆う部位と、右側面側を覆う部位とが備えられている。
【００２５】
ケース３の後面部３Ｃの上部には、壁掛け用の取付孔４を備えた係止部５がケース外方側に突出する状態で備えられ、ケース３の後面部３Ｃを被取付面Ｗ側に位置させる状態で被取付面Ｗに対しビス６等の固定具でケース３を取り付け可能に構成されている。つまり、ケース３の後面部３Ｃは、被取付面Ｗに対する取付面を構成する。
【００２６】
ケース３は、図３、図４に示すように、前方側を開口させた有底筒状のケース本体７と、そのケース本体７の前方開口部の一部を覆う第１カバー８と、その第１カバー８を覆う第２カバー９とから構成されている。
【００２７】
ケース本体７は、前方開口部を備えた前面視（正面視）で矩形状に形成され、ケース３の後面部３Ｃと上下左右の４つの側面部３Ｂを構成する。ケース本体７の内部には、センサ２に加えて、電源部としての電池１、センサ２の検知動作やその検知状況に応じた警報動作の制御や電池１からの電力供給のオンオフ制御等の各種の制御を行う制御回路を有した基板１３、音声等により警報を行うスピーカ部１４、点灯表示等により警報を行う警報表示部１５、点灯表示等により電源のオンオフ状態を示す電源表示部１６等の各種の機器が収納されている。
【００２８】
第１カバー８と第２カバー９は、ケース本体７の前方開口部に備えられている。第１カバー８は、ケース本体７の前方開口部における電池１の収容部位を除く部位を覆う状態で装着され、他方、第２カバー９は、ケース本体７の前方開口部の全体を覆う状態で装着されている。そのため、この検知器は、第２カバー９を取り外すことで、第１カバー８は装着したままで電池１の着脱作業やメンテナンスを実施することができる。第２カバー９は、ケース本体７の前方開口部に装着した状態でケース３の前面部３Ａを構成する。
【００２９】
第１カバー８及び第２カバー９の夫々には、スピーカ部１４を覆う部位にスピーカ部１４からの音声を外部に伝達するためのスピーカ用開口部８ａ、９ａが形成されている。また、第１カバー８には、警報表示部１５及び電源表示部１６の光を透過する状態で表示部１５、１６を覆う透光性の表示カバー部位８ｂ、８ｃが備えられているとともに、第２カバー９には、第１カバー８の表示カバー部位８ｂ、８ｃを外部に露出させる表示用開口部９ｂ、９ｃが備えられている。
【００３０】
なお、２０は、スピーカ部１４及び警報表示部１５により警報動作が行われた際に、その警報動作を停止させるための警報停止用操作部、１７は、電池１からの電力供給をオンとオフに切り換えるための電源切換用操作部である。
【００３１】
センサ２は、例えば、火災により発生する煙や温度上昇、不完全燃焼により発生するＣＯガス、都市ガス等のガス漏れにより発生する漏洩ガス等の検知対象を検知可能に構成されている。この実施形態では、センサ２として、煙を検知する第１センサ２ａとＣＯガスを検知する第２センサ２ｂと漏洩ガスを検知する第３センサ２ｃの３つのセンサが備えられている。なお、センサ２は、このような検知対象を検知できるものであれば、各種の構造を採用することができ、また、適宜の個数を採用することができる。
【００３２】
ケース３の側面部３Ｂには、図５、図６に示すように、空気を内部に流入可能な流入口１０が開口形成され、この流入口１０を通してケース３の内部に流入する空気から検知対象をセンサ２で検知するように構成されている。流入口１０は、ケース３の上下左右の側面部３Ｂの夫々に備えられ、ケース３の側面部３Ｂの全周に亘ってケース３の外部からケース３の内部に空気を流入可能に構成されている。
【００３３】
ケース３の内部における機器のレイアウトは、図３に示すように、上下方向及び左右方向では、電池１が左上方側に配置され、その電池１の下方側に第１センサ２ａが配置され、更に、電源表示部１６が左下端部に配置されている。また、スピーカ部１４が右上方側に配置され、そのスピーカ部１４の下方側に第２センサ２ｂが配置され、更に、その第２センサ２ｂの下方側に第３センサ２ｃが配置されている。基板１３は、ケース本体７に収納された第１センサ２ａを覆う状態で取り付けられている。
【００３４】
更に、図５、図６に示すように、前後方向では、第１センサ２ａが、ケース本体７の取付面側であるケース３の後面部３Ｃ側に配置されているとともに、電池１、基板１３、第２センサ２ｂ、第３センサ２ｃ、スピーカ部１４、警報表示部１５、電源表示部１６等の第１センサ２ａ以外の機器は、ケース本体７の開口部側であるケース３の前面部３Ａ側に配置されている。
【００３５】
つまり、この検知器では、ケース３の側面部３Ｂの全周に亘って流入口１０を形成して、ケース３の側面部３Ｂの全周に亘って空気をケース３の内部に流入することに対し、上述のような内蔵機器のレイアウトを採用することで、第１センサ２ａ、第２センサ２ｂ、第３センサ２ｃの各々に適切且つ効率的に空気を流通させる。
【００３６】
特に、煙を検知対象とするために空気の流通性が要求される第１センサ２ａが、ケース３の内部において他の機器とは前後方向（Ｚ方向）で反対側に配置されているので、第１センサ２ａの周囲に空気流通空間を良好に確保することができる。よって、他の機器に邪魔されることなく、ケース３の側面部３Ｂの全周から第１センサ２ａに適切に空気を流通させることができる。
【００３７】
更に、ケース３の内部に占める体積の大きな電池１が、ケース３の内部において第１センサ２ａとは前後方向（Ｚ方向）で反対側に配置されているので、電池１を迂回して第１センサ２ａに空気を流通させる迂回空気流通路等が不要となり、その分、ケース３のケース厚（前後方向での大きさ）を小さくしてケース３のコンパクト化を図ることができる。
【００３８】
しかも、ケース３の各内蔵機器のうち、第１センサ２ａを除く大部分の機器がケース３の前面部３Ａ側に配置されているので、ケース３の後面部３Ｃ側にスペース的な余裕を生むことができる。そのため、ケース３の側面部３Ｂにおける後面部３Ｃ側の形状（取付面側の形状）の設計自由度を高めることができる。
【００３９】
そして、この検知器は、上述した機器のレイアウトに伴う高い設計自由度を活用して後述する如き、ケース３の側面部３Ｂの形状、及び、流入口１０の形状を採用することで、コンパクト化を図り、見掛け上においては更に看者にコンパクトな印象を与え、しかも、流入口１０の開口面積を良好に確保できるようにしてある。
【００４０】
ケース３は、図１、図２に示すように、側面部３Ｂに四つ（複数の一例）の隅部を有する外郭形状に構成されていて、このケース３の側面部３Ｂの四隅には、前後方向（Ｚ方向）に延びてケース３の前面部３Ａと後面部３Ｃとを繋ぐ繋ぎ部（柱部）７ａが形成されている。そして、これら繋ぎ部７ａどうしの対向面間に流入口１０が形成されている。
【００４１】
つまり、この検知器は、ケース３の強度上の要となる四隅に対し、対向面間に流入口１０を形成する状態で繋ぎ部７ａを形成することで、ケース３の外郭形状を効率的に構成しながら、ケース３の側面部３Ｂの全周に亘って大きな開口面積の流入口１０を備えさせ、ケース３の内部への空気の流入を効果的且つ効率的に行わせる。
【００４２】
流入口１０には、前後方向（Ｚ方向）に延びる縦桟（中間柱部）１２と、前後方向（Ｚ方向）に直交する方向に延びる板状の横桟（区画部）１１とが備えられている。縦桟１２と横桟１１とによって繋ぎ部７ａどうしの間の開口部を区画することで、誤って異物や使用者の手等がケース３の内部に挿入されるのを阻止するとともに、主に縦桟１２によってケース３を補強する。
【００４３】
次に、ケース３の側面部３Ｂの形状、及び、流入口１０の形状について詳述する。
ケース３の側面部３Ｂは、図２、図５〜図７に示すように、後面部３Ｃ側（ケース３の取付面側）の後面側部位３ｂが前面部３Ａ側（ケース３の取付面側とは反対側）の前面側部位３ａよりもケース内方側に位置する形状に構成されている。
【００４４】
本実施形態では、ケース３の側面部３Ｂにおいて後面側部位３ｂが前面側部位３ａよりも一段ケース内方側に位置するように構成されているとともに、ケース３の上下左右の四つの側面部３Ｂが同一又は略同一の形状に構成されている。略言すれば、ケース３の側面部３Ｂは、全体として後方に向かって階段状に窄まる後方窄まり形状に構成されている。
【００４５】
このような形状を採用することで、取付けたときに、ケース３の側面部３Ｂのうちの後面側部位３ｂが視覚的に識別し難くなり、ケース３の側面部３Ｂのうちの前面側部位３ａが見掛け上のケース厚として認識され易くなる。そのため、この検知器は、見掛け上のケース厚が小さくなって、看者にコンパクトな印象を与えることができる。
【００４６】
しかも、ケース３の側面部３Ｂにおける後面側部位３ｂと前面側部位３ａとの間で段差があるので、この段差による両部位３ａ、３ｂの視覚的な分離作用により、後面側部位３ｂの視覚的な識別し難さ、及び、前面側部位３ａの見掛け上のケース厚としての認識し易さが強調され、その分、看者に与えるコンパクトな印象を一層強くすることができる。
【００４７】
流入口１０は、図７に示すように、ケース３の側面部３Ｂの前面部３Ａ側において前後方向に沿う非傾斜姿勢（ケース３の厚み方向に沿う姿勢）の非傾斜開口面１０ａと、ケース３の側面部３Ｂの後面部３Ｃ側において後面側ほどケース内方側に位置する傾斜姿勢の傾斜開口面１０ｂとを備えて構成されている。
【００４８】
傾斜開口面１０ｂの傾斜角αは、ケース厚に沿う前後方向からケース内方側に傾斜した角度であり、ケース３の内部の後面側のスペースやセンサ２の応答速度等の各種の事情に応じて適宜に設定することができる。この傾斜開口面１０ｂは、ケース３の側面部３Ｂにおける前面側部位３ａと後面側部位３ｂとの間の段差部を利用して後面側部位３ｂに形成されている。
【００４９】
このように、流入口１０における少なくとも一部の開口面（傾斜開口面１０ｂ）をケース３の側面部３Ｂにおいてケース３の厚み方向から傾斜する傾斜姿勢とすることで、ケース３の側面部３Ｂにおいて流入口１０の開口面積を良好に確保する。しかも、傾斜開口面１０ｂがケース３の側面部３Ｂの後面部３Ｃ側（被取付面Ｗ側）に備えられているので、流速が低下しがちな被取付面Ｗの近傍の空気も流入口１０に流入させ易くすることができる。
【００５０】
流入口１０における後面側開口縁（取付面側開口縁）１０ｃに前方側（取付面とは反対側）で対向する部位には、ケース内外方向において後面側開口縁１０ｃに相当する位置Ｐ１よりもケース内方側の位置Ｐ２まで検知対象を流入案内する流入案内面１０ｄが設けられている。この流入案内面１０ｄは、流入口１０に備えられた複数の横桟１１のうち、後面側に位置する横桟１１の後面からなり、検知器を被取付面Ｗに取り付けた状態で被取付面Ｗに沿う面に構成されている。
【００５１】
そのため、この検知器では、流入案内面１０ｄによる案内作用によって、図７に示すように、流入口１０に向かう途中で流入口１０における後面側開口縁１０ｃにぶつかって流れが被取付面Ｗから離れる向きに変更された空気も流入口１０に流入させ易くすることができる。
【００５２】
［第２実施形態］
図８、図９は、本発明に係る検知器の第２実施形態を示し、この検知器では、ケース３が前面視（正面視）で横幅よりも上下幅が広い縦長矩形状に形成されているとともに、ケース３の側面部３Ｂ及び流入口１０が、上下の側面側の部位（図９（ａ）参照）と左右の側面側の部位（図９（ｂ）参照）とで異なる形状に構成されている。
【００５３】
ケース３の側面部３Ｂは、略全体が後方側ほどケース内方側に位置する傾斜姿勢に構成され、且つ、流入口１０の開口面の略全体が傾斜開口面１０ｂに構成されている。そして、上下の側面側の部位における側面部３Ｂの傾斜姿勢及び傾斜開口面１０ｂの傾斜角α１が、左右の側面側の部位における側面部３Ｂの傾斜姿勢及び傾斜開口面１０ｂの傾斜角α２よりも大に構成されている。
【００５４】
つまり、各種の機器を内蔵するためにケース３の形状は種々の制約を受けるが、この検知器では、このような制約を受ける状況下でケース３の側面部３Ｂにおける上下の側面側の部位で流入口１０の開口面積を広く確保することで、検知器の設置空間においてドラフト流等で生じ易い上下方向に沿う空気流を効果的且つ効率的に内部に流入させる。
【００５５】
なお、ケース３の側面部３Ｂにおける流入口１０よりも前方側の部位は、当該部位近傍の検知対象を流入口１０に向かって流入案内する傾斜姿勢の流入案内面１０ｅを構成する。
【００５６】
その他の構成は、第１実施形態で説明した構成と同一であるから、同一の構成箇所には、第１実施形態と同一の番号を付記してそれの説明は省略する。
【００５７】
〔別実施形態〕
（１）前述の各実施形態の変形として、図１０に示すように、横桟１１と縦桟１２との交差部において横桟１１の外面１１ａが縦桟１２の外面１２ａよりもケース外方側に位置するように、横桟１１の交差部に対応する部位（張り出し部位）１１ｂがケース外方側に張り出し形成されていてもよい。この場合、横桟１１と縦桟１２との交差部の個数等に対応して、例えば、図１０（ａ）に示すように、１つの張り出し部位１１ｂを形成したり、図１０（ｂ）に示すように、横桟１１に複数の張り出し部位１１ｂを形成することができる。
【００５８】
このようにすれば、検知対象が空気中に存在する場合に、横桟１１の張り出し部位１１ｂによる検知対象の案内作用によって縦桟１２周辺部位への外部からの検知対象の取り込み量（流入口１０への流入対象となる検知対象の量）を増やすことができるので、流入口１０の縦桟１２周辺部位において検知対象が流入口１０に流入し難くなるのを流入対象となる検知対象の量で補って、結果的に検知対象の流入口１０への流入量を確保することができる。また、例えば、流入口１０における縦桟１２の外面１２ａにぶつかって流れが変更された検知対象を横桟１１の張り出し部位１１ｂでもって流入口１０に流入案内することで、縦桟１２の存在で検知対象が流入口１０に流入し難くなるのを効率的に抑制することなども可能になる。
【００５９】
（２）前述の各実施形態では、センサ２に電力を供給する電源部として、ケース３に収容した電池１を例に示したが、室内に設置されたコンセント等の外部電源等であってもよい。
【００６０】
（３）前述の各実施形態では、ケース３の側面部３Ｂの全体が、取付面側がその反対側よりもケース内方側に位置する形状に構成されている場合を例に示したが、ケース３の側面部３Ｂの一部（例えば、上下左右の各々を覆う部位のうちの１又は複数の部位）だけが上記形状に構成されていてもよい。
【００６１】
（４）また、前述の各実施形態では、全ての流入口１０が、ケース３の側面部３Ｂにおいて取付面側ほどケース内方側に位置する傾斜姿勢の傾斜開口面１０ｂを備えて構成されている場合を例に示したが、一部の流入口１０だけが傾斜開口面１０ｂを備えて構成されていてもよい。
【００６２】
（５）ケース３の内部における各機器のレイアウトは、前述の各実施形態で示したものに限らず、設置環境や機器の数量・種別等に応じて適宜に変更することができる。
【符号の説明】
【００６３】
Ｗ          被取付面
２          センサ
３          ケース
３Ｂ        側面部
３Ｃ        取付面（後面部）
７ａ        繋ぎ部
１０        流入口
１０ｂ      傾斜開口面
１０ｃ      取付面側開口縁（後面側開口縁）
１０ｄ      流入案内面
１１        横桟
１２        縦桟
【図１】
0006453048.tif 000002
【図２】
0006453048.tif 000003
【図３】
0006453048.tif 000004
【図４】
0006453048.tif 000005
【図５】
0006453048.tif 000006
【図６】
0006453048.tif 000007
【図７】
0006453048.tif 000008
【図８】
0006453048.tif 000009
【図９】
0006453048.tif 000010
【図１０】
0006453048.tif 000011